(57)【要約】【課題】作物育成システムにおいて、昼行性害虫のハウス内への誘引を防ぎつつ作物に光照射し、作物への着色障害を無くすようにする。【解決手段】作物育成システム１は、圃場２内に設置され、波長域３００〜３８０ｎｍに波長ピークを持つ紫外線を照射する紫外線ランプ４と、ランプ４の照射動作を制御する制御配電盤５とを備える。制御配電盤５は、自然光が圃場２内に照射されていない時間帯のうち、紫外線ランプ４を動作させる時間帯を任意に設定するための設定部５１を有し、この設定部５１で設定された時間帯に紫外線ランプ４に照射動作を行わせる。自然光が圃場内に照射されていない時間帯のうち任意の時間帯に、紫外線ランプによる光照射を行い、圃場２内の作物２ａに不足した紫外線照射量を昼行性害虫が活動しない夜間に補うようにしたので、日中を通じて昼行性害虫のハウス３内への誘引を防止でき、かつ、作物２ａへの着色障害を無くすことができる。【選択図】図１
2011244723.tif 000002
【特許請求の範囲】
【請求項１】
圃場を紫外線遮断性の被覆フィルムにより覆う農業用ハウスに用いられ、圃場内の作物
に光照射して作物の育成を促進する作物育成システムであって、
圃場内に設置され、波長域３００〜３８０ｎｍに波長ピークを持つ紫外線を照射する紫
外線照射部と、前記紫外線照射部の照射動作を制御する制御部とを備え、
前記制御部は、自然光が圃場内に照射されていない時間帯のうち、前記紫外線照射部を
動作させる時間帯を任意に設定するための設定部を有し、この設定部で設定された時間帯
に前記紫外線照射部に照射動作を行わせることを特徴とする作物育成システム。
【請求項２】
虫を捕獲する捕獲部を前記紫外線照射部の周辺に備えたことを特徴とする請求項１に記
載の作物育成システム。
【発明の詳細な説明】
【技術分野】
【０００１】
本発明は、農業用ハウスで栽培される作物の育成を促進する作物育成システムに関する
。
【背景技術】
【０００２】
従来より、農業用ハウスにおいて、圃場内の作物を害虫から保護するため、太陽光など
外部からの照射光のうち虫を誘引し易い紫外領域の光をカットして、昼行性害虫（例えば
、アザミウマ、コナジラミ等）のハウス内への飛び込みを防ぐことが知られている。この
種の害虫防除のための構成では、圃場を覆う被覆フィルムに紫外線遮断性部材を用いて、
波長域３８０ｎｍ以下の紫外線を遮蔽するようになっている。しかしながら、圃場に照射
される紫外線の量が少なくなると、ナスやキュウリ等の一部の作物によっては、果実の色
づきに必要な紫外線量が不足して着色障害が生じ、商品としての価値が低下することがあ
る。
【０００３】
なお、外部からの紫外線を遮蔽したハウス内で、波長域３３０〜３９０ｎｍの光を放射
する発光体を発光させる技術がある（例えば、特許文献１参照）。しかしながら、この技
術は、紫外線を感知して方向認識を行う受粉用昆虫に作物の受粉活動を円滑に行わすため
のものであり、上記のような作物に着色障害が生じるという問題を解消するものではない
。また、発光体による紫外線照射が作物の受粉時期などに継続的に行われると、ハウス内
に昼行性害虫が誘引されることがある。
【先行技術文献】
【特許文献】
【０００４】
【特許文献１】特開２００５−１２４５３４号公報
【発明の概要】
【発明が解決しようとする課題】
【０００５】
本発明は、上記問題を解決するためになされたものであり、昼行性害虫のハウス内への
誘引を防ぎつつ作物に光照射し、作物への着色障害を無くすことができる作物育成システ
ムを提供することを目的とする。
【課題を解決するための手段】
【０００６】
本発明の作物育成システムは、圃場を紫外線遮断性の被覆フィルムにより覆う農業用ハ
ウスに用いられ、圃場内の作物に光照射して作物の育成を促進する作物育成システムであ
って、圃場内に設置され、波長域３００〜３８０ｎｍに波長ピークを持つ紫外線を照射す
る紫外線照射部と、前記紫外線照射部の照射動作を制御する制御部とを備え、前記制御部
は、自然光が圃場内に照射されていない時間帯のうち、前記紫外線照射部を動作させる時
間帯を任意に設定するための設定部を有し、この設定部で設定された時間帯に前記紫外線
照射部に照射動作を行わせることを特徴とする。
【０００７】
この作物育成システムにおいて、虫を捕獲する捕獲部を前記紫外線照射部の周辺に備え
たことが好ましい。
【発明の効果】
【０００８】
本発明の作物育成システムによれば、自然光が圃場内に照射されていない時間帯のうち
、任意の時間帯に紫外線照射部による光照射を行い、圃場内の作物に不足した紫外線照射
量を昼行性害虫が活動しない夜間に補うようにしたので、日中を通じて昼行性害虫のハウ
ス内への誘引を防止でき、かつ、作物への着色障害を無くすことができる。
【図面の簡単な説明】
【０００９】
【図１】本発明の第１の実施形態に係る作物育成システムの構成図。
【図２】上記システムの紫外線ランプ及び制御配電盤の取り付け位置を示す斜視図。
【図３】上記紫外線ランプの点灯／消灯タイムチャートの一例を示す図。
【図４】圃場内に照射される太陽光及びランプからの照射光の分光特性を示す図。
【図５】（ａ）は上記紫外線ランプの他の構成を示す正面図、（ｂ）は同ランプの側面図。
【図６】（ａ）は同ランプのさらに他の構成を示す正面図、（ｂ）は同ランプの側面図。
【図７】（ａ）は同ランプのさらに他の構成を示す正面図、（ｂ）は同ランプの側面図。
【図８】本発明の第２の実施形態に係る作物育成システムの構成図。
【図９】上記システムの紫外線ランプ及び捕獲部の平面配置図。
【図１０】（ａ）は上記捕獲部の側面図、（ｂ）は同捕獲部の正面図。
【図１１】（ａ）は同捕獲部の他の構成を示す側面図、（ｂ）は同捕獲部の正面図。
【発明を実施するための形態】
【００１０】
（第１の実施形態）
本発明の第１の実施形態に係る作物育成システムについて図１乃至図４を参照して説明
する。図１、図２は本実施形態に係る作物育成システム１の構成を示す。作物育成システ
ム１は、圃場２を覆う農業用ハウス３に備えられ、圃場２内の作物２ａに光照射して作物
２ａの育成を促進するものである。作物育成システム１は、圃場２内に設置された、紫外
線を照射する紫外線ランプ４（紫外線照射部）と、紫外線ランプ４の照射動作を制御する
制御配電盤５（制御部）とを備えている。ここに、農業用ハウス３は、紫外線遮断性の被
覆フィルム３１を構造体３２に展張して成り、太陽光など外部からの自然光のうち、紫外
領域の光（波長域３８０ｎｍ以下）をカットして、昼行性害虫のハウス３への誘引を防止
するものとなっている。昼行性害虫は、例えば、アザミウマ、コナジラミ等の農業害虫で
ある。
【００１１】
紫外線ランプ４は、圃場２内に複数設けられ、圃場全体に紫外線を均一に照射できるよ
うになっており、ここでは、ハウス３の構造体３２の天井部分に吊り下げられている。紫
外線ランプ４から照射される紫外線は、波長域３００〜３８０ｎｍに波長ピークを持ち、
ナスやキュウリ等の作物に対し果実の色づきを促進する作用が高い。ランプ４の種類とし
ては、例えば、蛍光ランプやＬＥＤ、冷陰極ランプ、キセノンランプ等が挙げられ、また
、上記の光波長特性を有していれば、汎用の捕虫用ランプを用いることもできる。
【００１２】
制御配電盤５は、農業用ハウス３の外壁部分に取り付けられ、各紫外線ランプ４と電力
線６により接続されており、ランプ４を駆動するための電力を電柱７から引き込み線を通
じて受電する。制御制御盤５は、自然光が圃場２内に照射されていない時間帯のうち、紫
外線ランプ４を動作させる時間帯を任意に設定するための設定部５１を有しており、この
設定部５１で設定された時間帯にランプ４に点灯信号を送出し照射動作を行わせるように
なっている。
【００１３】
設定部５１は、自然光が圃場２内に照射されていない時間帯においてランプ４の点灯開
始時刻と点灯終了時刻を日毎に設定し、記憶できるものが好ましく、例えば、パナソニッ
ク電工製、ソーラタイムスイッチ（商品名）を用いることができる。設定部５１は、上記
構成に限れらず、予め記憶された日の出／日の入り時刻を基準に、負荷（ランプ４）のオ
ン時間を日の入り後Ｘ時間、日の出前Ｙ時間というように設定できる構成であってよい。
設定部５１に設定する時間帯（ランプ４を動作させる時間帯）は、日の入り後２〜３時間
経過してから日出前までが望ましい。これは、日の入り直後には夜行性害虫の活動が活発
であり、この時間帯に紫外線ランプ４が照射動作を行うと、これら害虫を誘引する虞があ
るためである。設定部５１への時間設定は、システム１の製造段階において行うようにし
てもよいし、システム１の使用状況等に応じてユーザが適宜設定を変更できる構成であっ
てもよい。
【００１４】
図３は紫外線ランプ４の点灯／消灯タイムチャートの一例を示す。ここでは、設定部５
１へのランプ動作時間として、ランプ４の点灯開始時刻が日の入り時刻（１９時２０分）
の２時間後の２１時４０分に設定され、ランプ４の点灯終了時刻が日の出時刻（４時４０
分）の４０分前の４時００分に設定されている。このような設定によれば、紫外線ランプ
４は、点灯開始時刻（２１時２０分）になるまでは消灯状態にあり、点灯開始時刻になる
と点灯状態とされ、点灯終了時刻（４時００分）になると消灯状態とされる。以後、この
ようなランプ４の点灯／消灯動作は日毎に繰り返される。
【００１５】
上記のように構成された作物育成システム１の作用について説明する。日の出後、自然
光が圃場２内に照射されているとき、紫外線ランプ４は消灯状態にありランプ４からは紫
外線が照射されない。このとき、自然光に含まれる紫外領域の光はハウス３の被覆フィル
ム３１によりカットされ、圃場２には紫外領域の光を除く光が照射される。そのため、昼
行性害虫がハウス３内に誘引されることはない。日の入り後、自然光が圃場２内に照射さ
れなくなると、紫外線ランプ４は点灯を開始しランプ４からの紫外線が圃場２内の作物２
ａに照射される。このランプ４からの紫外線により、作物２ａは果実表皮でアントシアニ
ンを生成するようになり、果実の着色が促進される。一方、昼行性害虫は夜間には活動を
行わないため、ランプ４の紫外線照射でハウス３内に誘引されることがない。そして、昼
行性害虫が活動を始める日の出前になると、ランプ４は消灯する。
【００１６】
図４は、圃場２内に照射される太陽光及びランプ４からの照射光の分光特性を示し、比
較のためハウス３への直射太陽光の分光特性を示す。圃場２内の作物２ａに照射される太
陽光（実線で示す）は、３８０ｎｍ以下の波長成分が被覆フィルム３１によりカットされ
て略０とされる。ランプ４からの照射光（一点鎖線で示す）は、３００〜３８０ｎｍの波
長成分中にピークを有し、太陽光の被覆フィルム３１でのカット分を補完するようなもの
となっている。
【００１７】
このように本実施形態に係る作物育成システム１によれば、自然光が圃場２内に照射さ
れていない時間帯のうち、任意の時間帯に紫外線ランプ４による光照射を行い、圃場２内
の作物２ａに不足した紫外線照射量を昼行性害虫が活動しない夜間に補うようにしたので
、日中を通じて昼行性害虫のハウス３内への誘引を防止でき、かつ、作物２ａでの果実の
色づきを促進し着色障害を無くすことができる。
【００１８】
次に、図５を用いて紫外線ランプの他の構成例を説明する。この紫外線ランプ４は、上
記した波長特性の紫外線を出力する直管型の光源４１と、光源４１から出力される光を反
射する反射板４２と、光源４１及び反射板４２を保持する器具本体４３とで構成される。
なお、器具本体４３には、安定器４４が収容される。このような紫外線ランプ４を用いれ
ば、光源４１からの紫外線を作物２ａに向けて高効率に照射することができるので、作物
２ａでの果実の色づきを促進する効果が高まり、また、ランプ４の動作時間を短縮するこ
ともできる。
【００１９】
次に、図６を用いて紫外線ランプのさらに他の構成例を説明する。この紫外線ランプ４
は、光源４１を円筒形のシリンダ４５に収容して成り、シリンダ４５には光透過性の部材
、例えば、ポリカーボネートが用いられる。このような紫外線ランプ４を用いれば、ラン
プ４の耐水性及び耐衝撃性が向上し、省メンテナンス性が図れる。
【００２０】
次に、図７を用いて紫外線ランプのさらに他の構成例を説明する。この紫外線ランプ４
は、複数の紫外線ＬＥＤ４６を一列に配列し、これら紫外線ＬＥＤ４６を器具本体４３に
収容したものである。器具本体４３には電源ユニット４７も収容される。このような紫外
線ランプ４を用いれば、ランプ４の長寿命化、低消費電力化が図れる。
【００２１】
（第２の実施形態）
本発明の第２の実施形態に係る作物育成システムについて図８乃至図１０を参照して説
明する。図８、図９は本実施形態に係る作物育成システム１の構成を示す。作物育成シス
テム１は、虫を捕獲する捕獲部８を紫外線ランプ４の周辺に備え、ここでは、捕獲部８と
紫外線ランプ４とが一体構成されて、圃場２内の畝と畝との間に設置されている。捕獲部
８は、紫外線ランプ４が夜間点灯したときに、ランプ４からの紫外線によりハウス３内に
誘引された夜行性害虫の捕獲を行うものである。ここでの紫外線ランプ４は、上述の図６
に示すランプ４と同様のものである。
【００２２】
図１０は捕獲部８の構成を示す。捕獲部８は、箱形状の捕獲ケース８１と、捕獲ケース
８１を支持する脚部８２とを有し、捕獲ケース８１の内面に捕虫用の粘着シート８３が貼
付されている。この粘着シート８３は、虫を誘引し易い黄色のものを使用することが好ま
しい。捕獲ケース８１は、両側部にランプ４を保持するためのランプ受け８４を有する。
このランプ受け８４に保持されるランプ４の地面からの高さは、圃場全体に紫外線を効率
よく照射するために、７００ｍｍ程度に設定されることが好ましい。このような作物育成
システム１によれば、夜間に紫外線ランプ４が点灯してハウス３内に夜行性害虫が誘引さ
れたとしても、捕獲部８で虫を粘着捕獲することができ、作物２ａの害虫による被害を確
実に防止することができる。
【００２３】
次に、図１１を用いて捕獲部の他の構成例を説明する。この捕獲部８は、水盤式の捕獲
器であり、上記の粘着シート８３を捕獲ケース８１に貼付するのに代えて、ケース８１内
に水８５を注水している。このような捕獲部８を用いれば、ランプ４からの照射光が捕獲
ケース８１内で拡散反射され、光に誘引された虫は、捕獲ケース８１に貯えられた水８５
の水面に落ちて捕獲されるので、上記と同様、作物２ａの害虫による被害を防止できる。
【００２４】
なお、本発明は、上記各種実施形態の構成に限られず、発明の趣旨を変更しない範囲で
種々の変形が可能である。例えば、紫外線ランプは、白色光源からの白色光を光学フィル
タにより紫外線に変換して出射するような構成であってもよい。また、捕獲部８は、上記
に限られず、電撃格子を用いた電撃殺虫器、加熱式殺虫器、気流により虫を吸引する吸引
式捕虫器等を適用することもできる。
【符号の説明】
【００２５】
１  作物育成システム
２  圃場
２ａ  作物
３  農業用ハウス
３１  被覆フィルム
４  紫外線ランプ（紫外線照射部）
５  制御配電盤（制御部）
５１  設定部
８  捕獲部
【図１】
2011244723.tif 000003
【図２】
2011244723.tif 000004
【図３】
2011244723.tif 000005
【図４】
2011244723.tif 000006
【図５】
2011244723.tif 000007
【図６】
2011244723.tif 000008
【図７】
2011244723.tif 000009
【図８】
2011244723.tif 000010
【図９】
2011244723.tif 000011
【図１０】
2011244723.tif 000012
【図１１】
2011244723.tif 000013